(57)【特許請求の範囲】
【請求項１】
前面を冷気のエアカーテンで覆って、庫内の商品収納部を保冷する複数の陳列棚及び最下段の陳列板を有する冷蔵オープンショーケースにおいて、
前記陳列板の分割位置下部に設けられた冷気の吸込口のグリルにネジ止めされる前面ダクトスペーサと一体に構成された前方支持部と、前記陳列板の分割位置の背面板に設けられた中央棚支柱の下部の前方に一体に構成された後方支持部とに、前後方向に渡って着脱自在に支持された断面Ｔ字状の補強部材を設け、該補強部材に前記最下段の隣接する陳列板の端部を載置させ、また該補強部材の前記陳列棚の載置部間に各々の陳列領域の温度帯を区分保持するための棚間仕切板の下部を載置させるようにしたことを特徴とする冷蔵オープンショーケース。
【請求項２】
前記陳列板には、樹脂の両面にアルミニウム板を貼り合わせたサンドイッチ構造の複合材料を採用したことを特徴とする請求項１記載の冷蔵オープンショーケース。
【発明の詳細な説明】
【０００１】
【発明の属する技術分野】
本発明は、最下段陳列板の分割位置における陳列板の支え構造及び同じく陳列板の分割位置における棚間仕切板の前方下部の支え構造を改良した冷蔵オープンショーケースに関する。
【０００２】
【従来の技術】
まず、冷蔵オープンショーケース２１の一例を図６に示す。
スーパーマーケット等に設けられる食品売場では、冷蔵食品の陳列に、本体ケース２２の前面を開放し、その開放部（開口部２３）を冷気のエアカーテンで覆って、庫内の商品収納部２４を保冷する冷蔵オープンショーケース２１が広く用いられている。
【０００３】
この種オープンタイプのショーケース２１は、断面コ字形の本体ケース２２内上部のキャノピ２５の後側に、非冷空気の吹出口２６ａと冷却空気の吹出口２６ｂを有し、各吹出口２６ａ，２６ｂより二層のエアカーテンとして整流して吹き出し、本体ケースの前面パネル２７内側の吸込口２８ａより両空気を吸い込むことにより庫内の商品収納部２４内の陳列棚２９，２９，・・・及び最下段の陳列板４０に陳列している食品等を冷却するようにしている。
【０００４】
吸込口２８ａから吸い込まれた空気は、吸込ダクト３０ａ，底面ダクト３０ｂ内をファン３１により誘引され、半分は冷却器３２で冷やされ、残りの半分はそのまま、ショーケース２１の背後のそれぞれのダクト３０ｃ，３０ｄを通り、再び非冷空気の吹出口２６ａと、冷却空気の吹出口２６ｂより吹き出され、循環される。
【０００５】
そして、前記最下段の陳列板４０には、ショーケース２１の横方向の陳列板４０同士の分割位置の下部に、前後方向に渡って支えとなる部材が無いため、陳列板４０の前後をスポット的に吸込口２８ａのグリル２８下端の支持辺２８ｂと背面板４３の下端支持辺４３ａにて支持していた。
【０００６】
一方、ショーケース２１の横方向の陳列板４０同士の分割位置には、各々の陳列領域の温度帯を区分保持するため、棚間仕切板４１が取り付けられるが、従来、この分割位置には前後方向に渡って支えとなる部材が無いため、吸込口２８ａのグリル２８の下端支持辺２８ｂに棚間仕切板４１の前方下部を支え、後方下部は背面板４３の下端支持辺４３ａに支える構造となっていた。
【０００７】
【発明が解決しようとする課題】
ところで、前述したように、最下段の陳列板４０は、その分割位置下部に、前後方向に渡って支える補強部材が無いため、陳列板４０の前後方向の両端をスポット的に支持しているだけだった。このため、陳列板４０の端面部強度を確保するのに、従来は端部を図７に示すようにチャンネル状に折り曲げ、Ｈ寸法を大きくとり、その結果、ショーケースの有効内容積が減少し、商品陳列量が削られていた。また、隣接する陳列板４０と陳列板４０との隙間から庫内背面板のパンチングより庫内側に吹き出した冷却空気が、そのままこの隙間から床バクト内に吸い込まれるショートサイクル現象を起こし、ケースの冷却効率が悪くなり、ランニングコストも高くなっていた。
また、重量物を陳列された場合に撓みが生じないよう中央部の強度を確保するため、陳列板４０の下面に補強板４２を溶接しており、その結果、Ｈ寸法の必要による問題点の外、作業の手間が掛かっていた。
一方、従来、棚間仕切板４１の下部前方支え部が、吸込口２８ａのグリル２８下端に形成した支持辺２８ｂであるため、棚間仕切板４１を図８及び図９に示すように、下部前方を前方に伸ばした形状（突設させた形状）とする必要があり、材料費・加工費が多く掛かっていた。
【０００８】
本発明は、上記の点に鑑み創案されたもので、その目的とするところは、陳列板の端面強度及び中央部の強度を、平板状の陳列板で確保し、ショーケースの有効内容積を大きくとれ、商品陳列量を多くとることができると共に、棚間仕切板の下部前方を前方に伸ばした形状（突設させた形状）にする必要がなく、材料費・加工費を多く掛けることのない冷蔵オープンショーケースを提供するにある。
【０００９】
【課題を解決するための手段】
上記の課題を解決するため、本発明においては、前面を冷気のエアカーテンで覆って、庫内の商品収納部を保冷する複数の陳列棚及び最下段の陳列板を有する冷蔵オープンショーケースにおいて、前記陳列板の分割位置下部に設けられた冷気の吸込口のグリルにネジ止めされる前面ダクトスペーサと一体に構成された前方支持部と、前記陳列板の分割位置の背面板に設けられた中央棚支柱の下部の前方に一体に構成された後方支持部とに、前後方向に渡って着脱自在に支持された断面Ｔ字状の補強部材を設け、該補強部材に前記最下段の隣接する陳列板の端部を載置させ、また該補強部材の前記陳列棚の載置部間に各々の陳列領域の温度帯を区分保持するための棚間仕切板の下部を載置させるようにしたことを特徴とする。
また、前記陳列板には、樹脂の両面にアルミニウム板を貼り合わせたサンドイッチ構造の複合材料を採用したことを特徴とする。
【００１０】
上記構成を採用したことにより、補強部材に陳列板の端面を載置できるので、陳列板を折り曲げずに端面部強度をカバーできるため、陳列板に樹脂とアルミニウム板の複合材料から成る平板を使用でき、ショーケースの有効内容積を広げることができる。
また、棚間仕切板の下部支え部として前後方向に架け渡した補強部材を使用できるので、棚間仕切板の形状を単純化でき、材料費・加工費共節約できる。
【００１１】
【発明の実施の形態】
以下、本発明の好ましい実施の形態を図面に基づき詳細に説明する。
図１は本発明が適用された冷蔵オープンショーケースの断面側面図、図２は補強部材の着脱の関係を示す斜視説明図、図３は図２の補強部材のＡ矢視図、図４は同じく図２の補強部材のＢ矢視図である。
なお、従来の冷蔵オープンショーケースと同一構成部材には同符号を付し、説明は省略する。
【００１２】
図１に示すように、本発明の冷蔵オープンショーケースは、冷蔵オープンショーケース１の最下段陳列板２の分割位置下部に、前後方向に渡って補強部材３を、ケース庫内の清掃を行いやすくするために着脱自在に設けている。
即ち、図２乃至図４に示すように、この補強部材３は、陳列板２の分割位置下部に吸込口２８ａのグリル２８にネジ止めされる前面ダクトスペーサ４を設け、該前面ダクトスペーサ４の後方に一体となった補強部材３の前方支持部（スリットになっている）５と、分割位置の背面板に設けられた中央棚支柱６の下部に、該中央棚支柱６の前方に一体となった補強部材３の後方支持部（スリットになっている）７に支持される構造となっている。補強部材３は断面Ｔ字状を呈し（図３）、アングル状の板を背中合わせに突合わせ溶接して作ると好適である。そして、Ｔ字状の脚部３ａは補強部材３の両端にはなく、中途から中途の間に形成されている。
【００１３】
前記陳列板２はこの前後方向に架け渡した補強部材３に載置されるので、端面部強度がカバーできるため、陳列板２に、樹脂の両面にアルミニウム板を貼り合わせたサンドイッチ構造の複合材料を採用している。この複合材料は、軽量で加工性に優れている。また、耐衝撃性にも強く、剛性が高いため優れた平面性を持っている。
【００１４】
一方、棚間仕切板８の下部はこの補強部材３に支えられて取り付けられるので、図１に示すように、従来の前方下部の前方への伸びをカットでき、まっすぐな形状とすることができる。
【００１５】
このように構成すると、補強部材３に陳列板２の端面を載置（面接触）できるので、陳列板を折り曲げずに端面部強度をカバーできるため、陳列板２に上述のような樹脂とアルミニウム板の複合材料なども使用でき、ショーケースの有効内容積を広げることができる。また、棚間仕切板８の下部支え部として補強部材３を使用できるので、棚間仕切板の形状を単純化して、材料費・加工費共節約することができる。
【００１６】
図５は、別の形状をした補強部材９の実施例で、補強部材９はチャンネル状を呈し、それぞれその端部が前面ダクトスペーサ４ａの後方に一体となった補強部材９の前方支持部５ａと、中央棚支柱６ａの前方に一体となった補強部材９の後方支持部７ａに支持される構造となっている。この実施例も前述したものと同様の作用・効果を発揮する。
【００１７】
【発明の効果】
以上説明したように、本発明の冷蔵オープンショーケースによれば、次のような効果を奏する。
（１）陳列板の分割位置下部において、補強部材に陳列板の端面を載置できるので、陳列板の端面部強度がカバーでき、陳列板として、従来の補強板付きの板金塗装品ではなく、樹脂とアルミニウム板の複合材料のような平板状のものを使用することができる。したがって、陳列板の裏面に補強板を溶接する必要がなく、ショーケースの有効内容積を広げることができる。その結果、商品陳列量を増やすことができる。
（２）棚間仕切板の下部支え部として補強部材を使用できるので、棚間仕切板の形状を単純化でき（突設部をなくせる）、材料費・加工費共節約できる。
（３）補強部材を着脱自在としたため、デッキパンの清掃、プレナムチャンバーの開閉等も簡単に行うことができる。
（４）補強部材は、陳列板を複数枚並べた際に生じる隙間を塞ぐ効果があり、冷却用循環空気のショートサイクルを防ぐので、冷却性能が向上する。
【図面の簡単な説明】
【図１】本発明が適用された冷蔵オープンショーケースの断面側面図である。
【図２】本発明の着脱の関係を示す斜視説明図である。
【図３】図２の補強部材のＡ矢視図である。
【図４】図２の補強部材のＢ矢視図である。
【図５】他の補強部材の着脱の関係を示す斜視説明図である。
【図６】従来の冷蔵オープンショーケースの断面側面図である。
【図７】従来の最下段の陳列板の断面正面図である。
【図８】従来の棚間仕切板の側面図である。
【図９】従来の棚間仕切板の支え状況を示す要部側面図である。
【符号の説明】
１    冷蔵オープンショーケース
２    陳列板
３    補強部材
４    前面ダクトスペーサ
４ａ    前面ダクトスペーサ
５    前方支持部
５ａ    前方支持部
６    中央棚支柱
６ａ    中央棚支柱
７    後方支持部
７ａ    後方支持部
８    棚間仕切板
９    補強部材
【図１】
0004592160.tif 000002
【図２】
0004592160.tif 000003
【図３】
0004592160.tif 000004
【図４】
0004592160.tif 000005
【図５】
0004592160.tif 000006
【図６】
0004592160.tif 000007
【図７】
0004592160.tif 000008
【図８】
0004592160.tif 000009
【図９】
0004592160.tif 000010